(57)【要約】【課題】警報器の遠隔操作を機器操作用の操作器で代用するなどにより、機器操作用の操作器の機能を拡張できるとともに、警報器操作の利便性を高める。【解決手段】機器（テレビ受像機、エアコン、ＶＴＲ、照明器具など）の操作に用いられる操作器（６、６Ａ、６Ｂ、・・・）と、複数のデータフォーマット（データフォーマット格納部１６−２、データフォーマットＡ、Ｂ・・・）から前記操作器に適合するデータフォーマットを選択し、該データフォーマットにより操作可能な警報器（４）とを備える。【選択図】図２
2019174930.tif 000002
【特許請求の範囲】
【請求項１】
機器の操作に用いられる操作器と、
複数のデータフォーマットから前記操作器に適合するデータフォーマットを選択し、該データフォーマットにより操作可能な警報器と、
を備えることを特徴とする警報システム。
【請求項２】
前記警報器は、複数のデータフォーマットから前記操作器に適合するデータフォーマットを選択する選択手段を備えることを特徴とする請求項１に記載の警報システム。
【請求項３】
前記操作器による前記操作は、前記警報器の警報停止、テスト、点検、データフォーマットの切換え、警報切換えの何れかまたはこれらの２以上を含むことを特徴とする請求項１に記載の警報システム。
【請求項４】
前記選択手段は、操作器から送出された操作情報でデータフォーマットを選択することを特徴とする請求項２に記載の警報システム。
【請求項５】
コンピュータで実現するプログラムであって、
機器の操作に用いられる操作器に適合するデータフォーマットを選択する機能と、
前記データフォーマットを以て操作を実行する機能と、
をコンピュータで実現するためのプログラム。
【請求項６】
機器の操作に用いられる操作器で操作可能な警報器であって、
複数のデータフォーマットから前記操作器に適合するデータフォーマットが選択され、該データフォーマットにより操作を制御する制御手段を備えることを特徴とする警報器。
【請求項７】
前記警報器が異常検知動作状態にあるとき、または前記操作器にある操作ボタンの組み合わせまたは該操作ボタンの操作態様が警報器操作を表すとき、前記操作器から送出される操作信号を認識することを特徴とする請求項６に記載の警報器。
【請求項８】
機器の操作に用いられる操作器であって、
複数のデータフォーマットから選択されたデータフォーマットを以て操作可能な警報器に適合するデータフォーマットを前記警報器に選択させる制御部を備えることを特徴とする操作器。
【請求項９】
前記警報器の操作機能が割り当てられた操作ボタンを備えることを特徴とする請求項８に記載の操作器。
【請求項１０】
前記警報器が異常検知動作状態にあるとき、または前記操作ボタンの組み合わせまたは操作態様が警報器操作を表すとき、前記警報器に識別させる操作信号を出力することを特徴とする請求項９に記載の操作器。
【発明の詳細な説明】
【技術分野】
【０００１】
本発明は、テレビ受像機やＶＴＲ（Videotape Recorder）などの機器の操作器を警報器操作に拡張する技術に関する。
【背景技術】
【０００２】
屋内でのガス漏れなどの異常に対し、警報器は異常感知により８０〔ｄＢ〕以上の大音量や音声によって警報を発する。このような警報は警報器の操作により解除できる。
斯かる警報器を備えるシステムについて、警報器に対応する操作器を備え、無線信号により警報器の動作確認や警報解除が行えることが知られている（特許文献１）。
【先行技術文献】
【特許文献】
【０００３】
【特許文献１】特開２０１１−２３２９９５号公報
【発明の概要】
【発明が解決しようとする課題】
【０００４】
ところで、ガス漏れ検知や煙検知の機能を充分に果たさせるため、警報器は屋内の天井やその近傍の壁に設置される。高所の警報器の操作は、警報器にある引きヒモによる操作や、踏み台に上がっての操作などを必要としていた。これに対し、警報器の動作確認や警報解除などを遠隔操作するための操作器を備えれば、警報器を直接操作する必要がなく、ユーザーの安全性を確保できるなど、警報システムの利便性を高める点で有効である。
斯かる操作器に関し、テレビ受像機、ＶＴＲ、照明器具、エアコンなどの機器には専用の操作器が用いられている。各機器操作のため、複数の操作器から必要な操作器を選択しなければならないし、警報器に対して専用の操作器を備えることは操作器を増加させるという課題がある。しかし、警報器以外の機器操作に用いられる操作器を警報器操作に兼用した場合には、機器側の誤動作を回避する必要がある。
【０００５】
警報器操作について、他の機器の操作と比較すれば、警報器の警報解除など、極めて操作頻度が低く、しかも、操作にはより迅速性が求められる。
斯かる要求や課題について、特許文献１にはその開示や示唆はなく、それを解決する構成等についての開示や示唆はない。
そこで、本発明の目的は上記課題に鑑み、警報器の遠隔操作を機器操作用の操作器で代用するなどにより、機器操作用の操作器の機能を拡張できるとともに、警報器操作の利便性を高めることにある。
【課題を解決するための手段】
【０００６】
上記目的を達成するため、本発明の警報システムの一側面によれば、機器の操作に用いられる操作器と、複数のデータフォーマットから前記操作器に適合するデータフォーマットを選択し、該データフォーマットにより操作可能な警報器とを備える。
この警報システムにおいて、前記警報器は、複数のデータフォーマットから前記操作器に適合するデータフォーマットを選択する選択手段を備えてよい。
この警報システムにおいて、前記操作器による前記操作は、前記警報器の警報停止、テスト、点検、データフォーマットの切換え、警報切換えの何れかまたはこれらの２以上を含んでよい。
この警報システムにおいて、前記選択手段は、操作器から送出された操作情報でデータフォーマットを選択してよい。
【０００７】
上記目的を達成するため、本発明のプログラムの一側面によれば、コンピュータで実現するプログラムであって、機器の操作に用いられる操作器に適合するデータフォーマットを選択する機能と、前記データフォーマットを以て操作を実行する機能とをコンピュータで実現する。
【０００８】
上記目的を達成するため、本発明の警報器の一側面によれば、機器の操作に用いられる操作器で操作可能な警報器であって、複数のデータフォーマットから前記操作器に適合するデータフォーマットが選択され、該データフォーマットにより操作を制御する制御手段を備える。
この警報器において、該警報器が異常検知動作状態にあるとき、または前記操作器にある操作ボタンの組み合わせまたは該操作ボタンの操作態様が警報器操作を表すとき、前記操作器から送出される操作信号を認識してよい。
【０００９】
上記目的を達成するため、本発明の操作器の一側面によれば、機器の操作に用いられる操作器であって、複数のデータフォーマットから選択されたデータフォーマットを以て操作可能な警報器に適合するデータフォーマットを前記警報器に選択させる制御部を備える。
この操作器において、前記警報器の操作機能が割り当てられた操作ボタンを備えてよい。
この操作器において、前記警報器が異常検知動作状態にあるとき、または前記操作ボタンの組み合わせまたは操作態様が警報器操作を表すとき、前記警報器に識別させる操作信号を出力してよい。
【発明の効果】
【００１０】
本発明によれば、次のいずれかの効果が得られる。
(1) テレビ受像機、ＶＴＲ、エアコンなどの機器の遠隔操作に用いられる既存の操作器を警報器操作に利用することができ、警報器操作の利便性が高められる。
(2) 警報器の警報解除などの操作のために、専用の操作器を探しまたは操作器の設置箇所まで移動する必要がなく、既存の操作器の操作により必要な操作を行うことができ、警報器操作の迅速性を図ることができる。
【００１１】
そして、本発明の他の目的、特徴および利点は、添付図面および各実施の形態を参照することにより、一層明確になるであろう。
【図面の簡単な説明】
【００１２】
【図１】第１の実施の形態に係る警報システムを示す図である。
【図２】警報システムを示すブロック図である。
【図３】Ａは遠隔操作器に対する警報器のフォーマット設定を示すフローチャート、Ｂは警報時の警報動作停止のシーケンスを示す図である。
【図４】第２の実施の形態に係る警報システムを示す図である。
【図５】遠隔操作器に対する警報器の自動フォーマット設定を示すフローチャートである。
【図６】Ａは第３の実施の形態に係る遠隔操作器を示す図、Ｂは操作ボタンに警報動作停止操作の割り付けを説明するための遠隔操作器を示す図である。
【図７】遠隔操作器の警報動作停止操作の処理手順を示すフローチャートである。
【発明を実施するための形態】
【００１３】
〔第１の実施の形態〕
図１は、第１の実施の形態に係る警報システムを示している。図１に示す構成は一例であり、斯かる構成に本発明が限定されるものではない。
この警報システム２には、警報器４および操作器６が備えられる。警報器４はたとえば、家屋の天井８に近い壁面１０に設置される。この警報器４はガス漏れ検知や煙検知などの異常検知機能を備え、異常検知により警報動作に移行し、警報音Ｓとともに異常状態を音声メッセージＭで出力する。
操作器６は操作器の一例である。この操作器６は、テレビ受像機、ＶＴＲ、照明機器、エアコンなどの機器の操作に用いられるたとえば、既存の操作器を兼用し、警報動作停止などの操作を行う。この操作器６では、周知のように、無線信号としてたとえば、遠赤外線Ｌを用いて操作情報を送出する。
【００１４】
＜警報器４＞
警報器４には図２に示すように、異常検知部１２、処理部１４、記憶部１６、フォーマット選択部１８、信号出力部２０、スピーカ２２および操作信号受信部２４が備えられる。
異常検知部１２はたとえば、ガス漏れ検知素子１２−１、煙検知素子１２−２などを備え、ガス漏れや煙を検知する。ガス漏れ検知素子１２−１は、ガス漏れの有無やガス漏れ状態を表す検出信号を出力する。煙検知素子１２−２は、煙の有無や煙の充満状態を表す検出信号を出力する。
【００１５】
処理部１４は、複数のデータフォーマットから操作器６に適合するデータフォーマットにより操作を制御する制御手段の一例である。この処理部１４はたとえば、コンピュータで構成されて記憶部１６に格納されているプログラムを実行し、その処理機能には、データフォーマット切換機能２６、異常判別機能２８、警報出力機能３０、操作信号受信機能３２、操作情報判別機能３４、警報解除機能３６、警報出力情報選択機能３８などが含まれる。
ａ）データフォーマット
テレビ受像機、ＶＴＲ、照明機器、エアコンなどの機器の操作に用いられる一般的な操作器には製造元や規格により異なるデータフォーマットが用いられ、企業名や規格名を付して「・・・フォーマット」などと通称されている。一般に、データフォーマットとは、リモコン操作などの機器操作に用いられるデータ形式のことであり、赤外線リモコンなどに向けられた通信フォーマットも含む。このデータ形式とは、警報器操作の処理に用いるデータの生成、保存、データ送受の規則やデータ構造を意味する。このデータ構造とは、どのようなデータをどのように配列して保持や処理をするかを定義したものであり、ＯＳ（Operating System）やプログラミング言語に依存する。機器操作において、異なるデータフォーマットを用いれば、操作対象の特定や誤操作の防止などの利点がある。
【００１６】
ｂ）データフォーマット切換機能２６
このデータフォーマット切換機能２６は、処理部１４に接続されているフォーマット選択部１８の選択操作により、記憶部１６から何れかの操作器６Ａ、６Ｂ、・・・に適合するデータフォーマットを選択する。
【００１７】
ｃ）異常判別機能２８
この異常判別機能２８は、常時、異常検知部１２の各検出信号を受け、検出信号の有無またはレベルに応じて異常状態を判別する。
【００１８】
ｄ）警報出力機能３０
この警報出力機能３０は、異常判別機能２８から得られる判別結果に応じて警報信号を出力する。
ｅ）操作信号受信機能３２
この操作信号受信機能３２は操作信号受信部２４と相まって、操作器６が送信した操作信号を受信する。
【００１９】
ｆ）操作情報判別機能３４
この操作情報判別機能３４は、警報解除機能が割り付けられた操作器６から受けた操作信号から操作情報を判別する。
ｇ）警報解除機能３６
この警報解除機能３６は、操作情報判別機能３４の判別結果が警報解除を表していれば、その警報解除情報を契機に警報解除を行う。
ｈ）警報出力情報選択機能３８
この警報出力情報選択機能３８は、警報動作時に用いる警報出力情報の選択を行う。
【００２０】
記憶部１６にはプログラム格納部１６−１、データフォーマット格納部１６−２、警報出力情報格納部１６−３などが設定されている。プログラム格納部１６−１には警報動作プログラム、フォーマット設定プログラムなどのプログラムが格納されている。
データフォーマット格納部１６−２には操作器６に対応する選択可能な複数のデータフォーマットとしてデータフォーマットＡ、データフォーマットＢ、データフォーマットＣ、・・・などが格納されている。
警報出力情報格納部１６−３には警報音や、警報内容を表す警報メッセージが格納されている。
【００２１】
フォーマット選択部１８は使用すべき操作器６に適合する１または２以上のデータフォーマットの選択に用いられる。
信号出力部２０は、処理部１４で生成される警報出力に基づき、警報出力情報を表す音声情報としての警報信号を生成して出力する。スピーカ２２は、警報信号を音声信号に変換して出力する。
操作信号受信部２４は、操作器６から送出される操作信号を受信し、設定されているデータフォーマットに基づき、操作信号から操作情報を取得し、処理部１４に出力する。
【００２２】
＜操作器６＞
操作器６はテレビ受像機、ＶＴＲ、照明機器、エアコンなど、各機器の操作に用いられる複数の操作器６Ａ、６Ｂ、・・・の何れでもよい。操作器６Ａにはたとえば、データフォーマットＡ、操作器６Ｂにはたとえば、データフォーマットＢが用いられている。斯かる場合、操作器６Ａを用いるのであれば、警報器４からデータフォーマットＡを選択すればよいし、データフォーマットＢの操作器６Ｂを用いるのであれば、警報器４からデータフォーマットＢを選択すればよい。操作器６Ａ、６Ｂ、・・・など、複数の操作器６を警報器操作に用いるのであれば、複数のデータフォーマットを設定してもよい。
【００２３】
＜警報システム２のハードウェア＞
警報器４の処理部１４にはコンピュータの機能を実現するプロセッサや入出力部を備えればよい。記憶部１６にはＲＯＭ（Read-Only Memory）、ＥＥＰＲＯＭ（Electrically Erasable Programmable Read-Only Memory ）やＲＡＭ（Random-Access Memory）などの記憶素子を用いればよい。信号出力部２０には変調回路や低周波増幅器などの電子回路を備えればよい。
フォーマット選択部１８にはたとえば、ディープスイッチなどの選択手段を備えればよい。
操作信号受信部２４はたとえば、遠赤外線検出素子などを備えて、遠赤外線からなる操作信号を受信すればよい。
【００２４】
＜フォーマット設定１＞
図３のＡは、フォーマット設定１の処理手順を示している。この処理手順は本発明のプログラムの一例である。この処理手順において、「Ｓ」は、ステップ（工程）であり、「Ｓ」に続く「数字」は、ステップの順序ないしステップを特定する記号を示している（以下同様である。）
【００２５】
このフォーマット設定１は、警報器４の初期化状態からフォーマット設定モードに移行させて実行する（Ｓ１０１）。このフォーマット設定モードにおいて、フォーマット選択部１８が有効となり、このフォーマット選択部１８を操作し、記憶部１６のデータフォーマット格納部１６−２からデータフォーマットを取得する（Ｓ１０２）。複数のデータフォーマットＡ、Ｂ、・・・から特定のデータフォーマットＸを選択する（Ｓ１０３）。このデータフォーマットの選択では、警報器操作に用いられる操作器６に適合するデータフォーマットを選択すればよい。
このデータフォーマットの選択後、確定操作により、操作器６とマッチングするデータフォーマットを確定させる（Ｓ１０４）。
【００２６】
＜警報器４の動作および操作器操作＞
図３のＢは、警報器４の動作および操作器操作の処理手順を示している。この処理手順は本発明のプログラムの一例である。
警報器４が異常を検知すれば（Ｓ１１１）、警報動作に移行する（Ｓ１１２）。この警報動作は既述のように、ブザー音などの警告音とともに、異常状態を表す音声メッセージとしてたとえば、「ピッピッポッポッ」「ガスガモレテイマセンカ」が発せられる。この警告を受け、ユーザーはガス漏れの有無を確認し、必要な処置を取ることができる。その処置完了の後は、警告音や音声メッセージを解除する必要に迫られる。
この警報を解除するには、警報器操作機能が設定された操作器６の操作ボタンを選択し（Ｓ１１３）、警報解除のための操作ボタンを押下させればよい（Ｓ１１４）。この操作ボタン押下により、操作器６から操作信号を送出する（Ｓ１１５）。
警報器４は操作信号を受信し（Ｓ１１６）、その操作信号から操作情報を検出して操作情報が警報解除かを判別する（Ｓ１１７）。警報解除でなければ（Ｓ１１７のＮＯ）、警報動作を継続する。
警報解除であれば（Ｓ１１７のＹＥＳ）、警報器４は警報解除処理に移行し（Ｓ１１８）、警報動作を終了し（Ｓ１１９）、異常検知の待機状態となる。
【００２７】
＜第１の実施の形態の効果＞
この第１の実施の形態によれば、次の何れかの効果が得られる。
(1) テレビ受像機、ＶＴＲ、照明機器、エアコンなどの機器の操作に用いられる操作器を警報器操作に兼用できる。
(2) 機器操作に用いられる操作器側のデータフォーマットが異なっても、警報器に用意されたデータフォーマットを選択して特定の操作器とマッチングさせることができる。
(3) 操作頻度が低い警報器の操作のための専用の操作器を備えておく必要がない。
(4) 機器に加えて警報器操作のための操作器を増設する必要がなく、警報器操作のための専用操作器の管理が不要となり、操作器管理の煩わしさを軽減できる。
(5) 身近にある操作器を警報器操作に兼用でき、警報器の動作解除という特殊な操作を身近な操作器で行うことができ、警報器操作の利便性を高めることができる。
(6) 家電機器などの機器に用いられる操作器６に使用可能な所謂赤外線リモコンのデータフォーマットを警報器４側に備えることは警報器４側の負担にはならない。
(7) テレビ受像機の操作器などの通信フォーマットに限定されることなく、ユーザーが何れの操作器を使用しても警報器側のデータフォーマットの設定のみで、幅広く既存の操作器を利用することができる。
(8) 機器用の操作器を用いれば、情報端末などの専用アプリの起動などが不要であり、警報器の警報解除などの迅速操作に適する。
【００２８】
〔第２の実施の形態〕
図４は、第２の実施の形態に係る警報システムを示している。図４において、図２と同一部分には同一符号を付し、その説明を割愛する。
この第２の実施の形態に係る警報器４では、フォーマット選択部１８（図２）が除かれ、処理部１４の処理機能は、フォーマット選択部１８と連動するデータフォーマット切換機能２６が除かれ、フォーマット判定機能４０、データフォーマット設定機能４２が追加されている。
ｉ）フォーマット判定機能４０
このフォーマット判定機能４０は、操作信号受信部２４で受信した操作信号から送出側の操作器６のデータフォーマットを判定する。
ｊ）データフォーマット設定機能４２
このデータフォーマット設定機能４２は、フォーマット判定機能４０で判定したデータフォーマットに基づき、記憶部１６のデータフォーマット格納部１６−２のデータフォーマットＡ、Ｂ、・・・から該当するデータフォーマットを選択して設定する。
【００２９】
＜フォーマット設定２＞
図５は、フォーマット設定２の処理手順を示している。この処理手順は本発明のプログラムの一例である。
【００３０】
このフォーマット設定２は、警報器４の初期化状態からフォーマット設定モードに移行させて実行する（Ｓ２０１）。このフォーマット設定モードにおいて、操作信号受信モードに移行させ（Ｓ２０２）、警報器４の操作を行うべき操作器６に操作信号を送信させ、この操作信号を受信する（Ｓ２０３）。
処理部１４は受信した操作信号からデータフォーマットを判定する（Ｓ２０４）。このデータフォーマットにより、データフォーマット格納部１６−２のデータフォーマットＡ、Ｂ、・・・から該当するデータフォーマットを選択する（Ｓ２０５）。
このデータフォーマットの選択後、確定操作により、操作器６とマッチングするデータフォーマットを設定する（Ｓ２０６）。
この場合、２以上の操作器６Ａ、６Ｂ、・・・からの操作信号を受信し、複数のデータフォーマットとしてたとえば、データフォーマットＡ、Ｂを設定してもよい。
【００３１】
＜警報器４の動作および操作器操作＞
第２の実施の形態においても、既述の図３のＢに示すように、警報器４の動作やその動作解除を行うことができる。
【００３２】
＜第２の実施の形態の効果＞
この第２の実施の形態によれば、次の何れかの効果が得られる。
(1) 第１の実施の形態と同様の効果が得られる。
(2) 第２の実施の形態では、データフォーマットの設定や切り換えをディープスイッチなどの操作に代え、警報器操作に使用する操作器から操作信号を送出させるだけで行うことができる。警報器操作に合致するデータフォーマットを選択して設定することができ、データフォーマットの設定を自動化できる。
【００３３】
〔第３の実施の形態〕
＜操作器６＞
図６のＡは、第３の実施の形態に係る操作器６を示している。図６に示す構成は一例であり、斯かる構成に本発明が限定されるものではない。
この操作器６にはスイッチ部４４、スイッチ検出部４６、操作信号生成部４８および操作信号送出部５０が含まれる。
スイッチ部４４には複数の行線５４と列線５６が備えられ、各交差点に開閉可能な接点５８として複数行、複数列を構成する接点５８１１、５８１２、・・・、５８１ｎ、５８２１、５８２２、・・・、５８２ｎ、・・・、５８ｎ１、５８ｎ２、・・・、５８ｎｎが備えられる。
【００３４】
スイッチ検出部４６はスイッチ部４４の接点５８１１、５８１２、・・・、５８１ｎ、５８２１、５８２２、・・・、５８２ｎ、・・・、５８ｎ１、５８ｎ２、・・・、５８ｎｎの開閉を表すスイッチ信号を検出し、何れの接点が開閉されたかを表す検出信号を出力する。
操作信号生成部４８は、搬送波信号である遠赤外線信号と何れの接点が開閉されたかを表す検出信号を用いて所定のデータフォーマットたとえば、データフォーマットＡの操作信号を生成する。
操作信号送出部５０はたとえば、遠赤外線発光素子で構成され、操作信号生成部４８で生成した操作信号を表す遠赤外線Ｌを送出する。
【００３５】
＜操作器６の機能設定＞
図６のＢには操作器６の前面パネル部の一例を示している。この操作器６は、テレビ受像機用のリモコンであり、複数の操作ボタン６０には電源ボタン６０−１、消音ボタン６０−２、放送選択ボタン６０−３、番号選択ボタン６０−４、選局ボタン６０−５、音量ボタン６０−６などが含まれる。
各操作ボタン６０は既述の接点５８の何れかの接点５８１１、５８１２、・・・、５８１ｎ、５８２１、５８２２、・・・、５８２ｎ、・・・、５８ｎ１、５８ｎ２、・・・、５８ｎｎが設定される。
この操作器６では、警報器４の操作機能としてたとえば、消音ボタン６０−２と番号選択ボタン６０−４の「１０」の同時押しにより警報器操作を選択可能にし、このボタン操作の後の操作を条件とする番号選択ボタン６０−４の「１２」に警報器４の動作解除を割り付ける。この機能設定は一例であり、これに限定されるものではない。
【００３６】
＜操作器６による警報器操作＞
図７は、操作器６による警報器操作の処理手順を示している。
この処理手順では、操作器６に対し既述の操作ボタン６０に警報器操作に必要な機能割当てを行う（Ｓ３０１）。この設定の後、警報器４が警報動作に移行した際、この操作器６を用いて警報動作を停止させることが可能である。
操作器６の操作ボタン６０が押下された際（Ｓ３０２）、操作器６では、警報器操作のための機能を割り付けられた操作ボタンが押下されたかを判定する（Ｓ３０３）。
警報器操作のための機能が割り付けられた操作ボタンの操作が行われた場合には（Ｓ３０３のＹＥＳ）、操作器６が警報器４に対して操作信号を送出する（Ｓ３０４）。これ以外の場合には、操作器６の通常動作としての操作信号を送出するに過ぎない。
警報器４は操作器６からの操作信号を受け、操作器６との操作モードに移行する。
警報解除であれば（Ｓ３０５）、所定の操作ボタン６０の押下を行い（Ｓ３０６）、警報解除を表す操作信号が操作器６から送出される（Ｓ３０７）。これにより、警報器４の警報解除が行われる。
【００３７】
＜第３の実施の形態の効果＞
この第３の実施の形態によれば、次の何れかの効果が得られる。
(1) 機器操作に用いられる操作器６の操作ボタン６０に警報器操作の機能を割り当てることにより、操作器６のデータフォーマットに適合させた警報器４の警報動作解除などの警報器操作を行うことができる。
(2) 操作器６は警報器４側に準備されたデータフォーマットに適合すればよく、何れの機器の操作用の操作器でもよく、自由に操作器を選択できる。
(3) 操作器６の操作ボタン６０には警報器操作に必要な任意の機能を割り当てることができる。
(4) 機器の操作に用いられる操作器６は、スマートフォンなどの情報端末に比較し、年齢層や身体の不自由者（車いす使用者など）に関係なく身近な存在であり、警報器４などの緊急時の操作に適し、専用の操作器を設置する必要がない。
(5) 情報端末などの専用アプリの起動操作が不要であり、迅速な操作ができ、操作性に優れる。
(6) 操作器６で警報器４の警報動作解除などの操作を行えば、高所にある警報器４の手動操作が不要であるため、安全性を向上することができる。
(7) 複数のリモコンを機能別に選択する必要がなく、複数の専用リモコンを区別して用いなければならないという手間も改善される。
(8) 身近で使い慣れた既存の操作器の機能拡大により、利便性の高い遠隔操作システムを実現できる。
(9) この操作器６によれば、警報器４が操作器６側に適合する複数のデータフォーマットを備えたことにより、一例としてスイッチ部４４、スイッチ検出部４６、操作信号生成部４８および操作信号送出部５０を備えた結果、適合するデータフォーマットを警報器４に選択させる制御部を構成する。よって、操作器６はデータフォーマットの選択を行う制御部として既存の構成を利用できる。
【００３８】
〔第４の実施の形態〕
この第４の実施の形態では、操作器６で機器操作と警報器操作の双方を行う際、双方の干渉回避には、次のような操作や設定が可能である。
【００３９】
＜警報器４が異常検知動作状態にある場合の操作器６による操作態様＞
警報器４が異常検知により警報動作などをしているとき、この動作状態を前提とし、警報器４は操作器６から送出される異常動作の解除信号の受け付けを優先する。つまり、警報器4側の異常検知動作の回避に優先性を付与し、操作器６の操作で機器側に生じた誤動作は許容するものとする。
【００４０】
＜異常検知動作状態以外の場合の操作器６による操作態様＞
たとえば、警報器４の点検など、異常検知動作に比較して優先性が低い場合には、機器操作と警報器操作を峻別し、機器側の誤動作を防止する。つまり、操作器６からの操作信号が警報器４向けの操作信号であることを警報器４側で識別すればよい。
この識別のためには、操作ボタン６０の操作態様や機能割付けによる設定を行えばよい。操作ボタン６０の操作態様として、たとえば、長押しとすれば、この長押しにより、繰り返し同じ信号が送られることで、警報器４が警報器に向けられた信号と識別し、点検などの動作を開始させればよい。この場合、長押し操作に警報器操作を割り付けた場合、警報器向けの操作信号が送出される結果、この警報器操作を優先するものとし、その際、機器が誤動作しても無視すればよい。
この長押しなどの操作形態のほか、二以上の連続した操作ボタン６０の組み合わせを用いてもよい。
【００４１】
＜第４の実施の形態の効果＞
この第４の実施の形態によれば、次の効果が得られる。
(1) 警報器４が異常検知動作に入った場合には、操作器６からの警報器向け操作信号により警報解除を優先的に行うことができる。
(2) 警報解除以外の優先性の低い操作では、操作器６側の操作形態や操作ボタン６０への割付けにより、機器側の操作との干渉を回避することもできる。つまり、優先性の低い操作では、操作器６側の操作が複雑化しても不都合はない。
(3) 警報器４の警報動作およびその解除を優先させて警報器4以外の機器の操作との干渉の回避を行うこともでき、ひとつの操作器６で複数の機器や警報器４の操作を行うことができ、操作器６の利便性を高めることができる。
【００４２】
〔他の実施の形態〕
本発明の実施の形態には次のようなバリエーションが含まれる。
(1) 操作器６による操作には、警報停止、テスト、点検、リセット、データフォーマットの切換え、警報切換え、警報器４または操作器６に表示部を備えて警報履歴の表示などの操作が含まれる。
(2) 上記実施の形態では、遠赤外線を用いた無線信号による遠隔操作を例示しているが、有線による操作であってもよい。
(3) 警報器４には既述のデータフォーマットに加え、独自の専用フォーマットを備えてもよく、独自フォーマットの追加により、別の機器からの情報をペアリング接続操作なしでの受信表示としてもよく、操作などのサービス機能を追加してもよい。
(4) 操作器６にはたとえば、ＴＶ受像機側の操作ボタンの一つまたは二つ以上にテレビ機器操作の解除機能を割り当て、既存機器との関連性を回避し、ＴＶなどの既存機器の誤操作を防止する付加機能を備えてよい。
(5) 操作器６には機能割り当て用の設定ボタンを備え、これを警報器の操作設定を可能にしてもよい。
(6) 警報器４の操作に必要な操作器は、機器操作用の操作器に限定されず、汎用の操作器を使用することもできる。
【００４３】
以上説明したように、本発明の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【００４４】
本発明の警報システムによれば、既存の操作器を兼用して警報器の操作が可能になり、テレビ受像機、ＶＴＲ、エアコンなどの機器毎に利用されている操作器を増加させることなく、既存の操作器の利便性を高めることができる。
【符号の説明】
【００４５】
２  警報システム
４  警報器
６、６Ａ、６Ｂ  操作器
８  天井
１０  壁面
１２  異常検知部
１２−１  ガス漏れ検知素子
１２−２  煙検知素子
１４  処理部
１６  記憶部
１６−１  プログラム格納部
１６−２  データフォーマット格納部
１６−３  警報出力情報格納部
１８  フォーマット選択部
２０  信号出力部
２２  スピーカ
２４  操作信号受信部
２６  データフォーマット切換機能
２８  異常判別機能
３０  警報出力機能
３２  操作信号受信機能
３４  操作情報判別機能
３６  警報解除機能
３８  警報出力情報選択機能
４０  フォーマット判定機能
４２  データフォーマット設定機能
４４  スイッチ部
４６  スイッチ検出部
４８  操作信号生成部
５０  操作信号送出部
５４  行線
５６  列線
５８、５８１１、５８１２、・・・、５８１ｎ、５８２１、５８２２、・・・、５８２ｎ、・・・、５８ｎ１、５８ｎ２、・・・、５８２ｎｎ  接点
６０  操作ボタン
６０−１  電源ボタン
６０−２  消音ボタン
６０−３  放送選択ボタン
６０−４  番号選択ボタン
６０−５  選局ボタン
６０−６  音量ボタン
【図１】
2019174930.tif 000003
【図２】
2019174930.tif 000004
【図３】
2019174930.tif 000005
【図４】
2019174930.tif 000006
【図５】
2019174930.tif 000007
【図６】
2019174930.tif 000008
【図７】
2019174930.tif 000009